(57)【要約】  担体材料、及び動物用トイレ砂におけるその使用が提供され、この担体材料は、取り扱い中に低減された粉塵形成を提示する。担体材料は、ベントナイト粘土と、ベントナイト粘土上にコーティングされた粉塵抑制剤と、を含み、粉塵抑制剤は、式（Ｉ）：Ｒ−Ｏ−（ＡＯ）２−Ｈの１つ以上のアルコキシレート材料であり、式中、Ｒは、Ｈ、アリール（例えば、フェニル）、または直鎖もしくは分岐Ｃ４−Ｃ２４アルキルであり、ＡＯは、各発生において独立して、エチレンオキシ、プロピレンオキシ、ブチレンオキシ、またはそれらのランダムもしくはブロック混合物であり、ｚは、ＡＯの平均モル数を表し、１〜８０の範囲にある。【選択図】なし【特許請求の範囲】
【請求項１】
動物用トイレ砂において使用するための担体材料であって、
ベントナイト粘土と、
前記ベントナイト粘土上にコーティングされた粉塵抑制剤と、を含み、前記粉塵抑制剤が、式Ｉの１つ以上のアルコキシレート材料であり、
Ｒ−Ｏ−（ＡＯ）ｚ−Ｈ    （Ｉ）
式中、Ｒが、Ｈ、アリール、または直鎖もしくは分岐Ｃ４−Ｃ２４アルキルであり、
ＡＯが、各発生において独立して、エチレンオキシ、プロピレンオキシ、ブチレンオキシ、またはそれらのランダムもしくはブロック混合物であり、
ｚが、ＡＯの平均モル数を表し、１〜８０の範囲にある、担体材料。
【請求項２】
前記粉塵抑制剤が、式ＩＩのアルコキシレートであり、
Ｒ１−Ｏ−（ＰＯ）ｘ（ＥＯ）ｙ−Ｈ    （ＩＩ）
式中、Ｒ１が、直鎖もしくは分岐Ｃ４−Ｃ２０アルキルであり、ＰＯが、プロピレンオキシであり、ＥＯが、エチレンオキシであり、ｘが、０．５〜１２であり、ｙが、２〜２０である、請求項１に記載の担体材料。
【請求項３】
Ｒ１が、４〜２０の偶数個の炭素原子を有する１つ以上の直鎖アルキル基を各々含有する２つ以上の直鎖アルキル部分の混合物であり、ｘが、０．５〜１０であり、ｙが、２〜２０である、請求項２に記載の担体材料。
【請求項４】
Ｒ１が、直鎖もしくは分岐Ｃ６−Ｃ１２アルキルであり、ｘが、２〜１１であり、ｙが、１〜１５である、請求項２に記載の担体材料。
【請求項５】
前記粉塵抑制剤が、式ＩＩＩのアルコキシレートであり、
Ｒ２−Ｏ−（ＥＯ）ｍ（ＢＯ）ｎ−Ｈ    （ＩＩＩ）
式中、Ｒ２が、直鎖もしくは分岐Ｃ９−１５アルキルであり、ＥＯが、エチレンオキシであり、ＢＯが、ブチレンオキシであり、ｍが、５〜１５であり、ｎが、１〜４である、請求項１に記載の担体材料。
【請求項６】
前記粉塵抑制剤が、式ＩＶのアルコキシレートであり、
ＨＯ−（ＥＯ）ｒ（ＰＯ）ｓ（ＥＯ）ｔ−Ｈ    （ＩＶ）
式中、ＥＯが、エチレンオキシであり、ＰＯが、プロピレンオキシであり、ｒが、２〜１０であり、ｓが、２０〜７０であり、ｔが、２〜１０である、請求項１に記載の担体材料。
【請求項７】
前記粉塵抑制剤が、式Ｖのアルコキシレートであり、
Ｒ３−Ｏ−（ＥＯ）ｙ−Ｈ    （Ｖ）
式中、Ｒ３が、直鎖もしくは分岐Ｃ６−１８アルキルであり、ＥＯが、エチレンオキシであり、ｙ３〜２０、請求項１に記載の担体材料。
【請求項８】
炭酸カルシウムを更に含み、前記炭酸カルシウムが、前記式Ｉのアルコキシレート材料でコーティングされている、請求項１〜７のいずれか１項に記載の担体材料。
【請求項９】
前記粉塵抑制剤が、ポリマー結合剤を含まない、請求項１〜８のいずれか１項に記載の担体材料。
【請求項１０】
請求項１〜９のいずれか１項の担体材料と、任意に、集塊剤、臭気吸収材料、抗菌性化合物、または香料のうちの１つ以上と、を含む、動物用トイレ砂組成物。
【請求項１１】
ベントナイト粘土を担体材料として含有する動物用トイレ砂における粉塵形成を低減するための方法であって、前記ベントナイト粘土を、式Ｉのアルコキシレート材料である粉塵抑制剤でコーティングすることを含み、
ＲａＯ−（ＡＯ）ｚ−Ｈ    （Ｉ）
式中、Ｒａが、Ｈ、アリール、または直鎖もしくは分岐Ｃ４−Ｃ２４アルキルであり、
ＡＯが、各発生において独立して、エチレンオキシ、プロピレンオキシ、ブチレンオキシ、またはそれらのランダムもしくはブロック混合物であり、
ｚが、ＡＯの平均モル数を表し、１〜８０の範囲にある、方法。
【発明の詳細な説明】
【技術分野】
【０００１】
本発明は、概して、動物の排せつ物を吸収するための動物用トイレ砂、より具体的には、取り扱い中に低い粉塵形成を提示する動物用トイレ砂に関する。
【背景技術】
【０００２】
動物用トイレ砂組成物、例えば、猫用トイレ砂等は、飼い慣らされた動物または家畜の尿及び糞を収集するために広く使用されている。ベントナイト粘土は、動物用トイレ砂において一般的に使用される担体吸収剤である。ベントナイト粘土は、他の担体材料と比較して様々な利点を有する。例えば、ナトリウムベントナイトは、湿ると凝集して、塊を形成する。結果として、汚れたトイレ砂は、汚れていないトイレ砂から容易に分離され得る。非膨潤ベントナイト粘土、例えば、カルシウムベントナイト等は、添加剤の添加によって凝集またはゲル化し得る。
【０００３】
ベントナイト粘土は、望ましい担体材料であるが、それらは、それらの小さい粒子サイズのため、取り扱い時に大量の粉塵を生成する欠点を有する。この粉塵生成の問題は、知られていて、様々な解決法が既に提案されている。一手法は、粉塵現象を軽減する努力の一環として、ある臭気軽減材料と共に食塩水（ＣａＣｌ２及びＭｇＣｌ２）を使用する。別の手法は、鉱油を使用して動物用トイレ砂微粒子を部分的にコーティングし、粉塵形成を低減する。
【０００４】
しかしながら、これらの手法は、トイレ砂の流れ、及びトイレ砂の箱内で塊になる等の猫用トイレ砂の最終用途性能要件に悪影響を与える可能性を含む、様々な難点を有する。例えば、ＣａＣｌ２及びＭｇＣｌ２は、周囲の空気から水分を引き出し、時間と共に、担体材料に湿気を添加し得る吸湿性塩である。これは、凝集プロセスを早く開始させ得、そのため、ベントナイトの吸収効果を低下させる。鉱油の疎水性は、粒子を結合させ、そのため、トイレ砂の表面積が低下し、その結果として、尿及び糞を収集、吸収するベントナイトの効果を低減させる。
【０００５】
したがって、動物用トイレ砂の粉塵問題に対する新しい改善された解決法を開発することが望ましくあり続けている。
【発明の概要】
【０００６】
今回我々は、ベントナイト粘土を含む動物用トイレ砂を取り扱うときに形成される粉塵が、ベントナイト粘土を、ここで説明される化学組成物を有する粉塵抑制剤でコーティングすることによって顕著に低減され得ることを見出した。
【０００７】
したがって、本発明の一態様では、動物用トイレ砂において使用するための担体材料が提供される。担体材料は、ベントナイト粘土と、ベントナイト粘土上にコーティングされた粉塵抑制剤と、を含み、粉塵抑制剤は、式Ｉの１つ以上のアルコキシレート材料であり、
Ｒ−Ｏ−（ＡＯ）ｚ−Ｈ    （Ｉ）
式中、Ｒが、Ｈ、アリール（例えば、フェニル）、または直鎖もしくは分岐Ｃ４−Ｃ２４アルキルであり、ＡＯが、各発生において独立して、エチレンオキシ、プロピレンオキシ、ブチレンオキシ、またはそれらのランダムもしくはブロック混合物であり、ｚが、ＡＯの平均モル数を表し、１〜８０の範囲にある。
【０００８】
別の態様では、ベントナイト粘土を担体材料として含む動物用トイレ砂における粉塵形成を低減するための方法が提供される。方法は、本明細書で説明されるように、ベントナイト粘土を粉塵抑制剤でコーティングすることを含む。
【発明を実施するための形態】
【０００９】
別段の指示がない限り、例えば、「２〜１０」における数値の範囲は、範囲を定義する数（例えば、２及び１０）を包括する。別段の指示がない限り、比率、割合、等分等は、重量による。本明細書で使用される場合、別段の指示がない限り、または文脈から明らかではない限り、「分子量」または「Ｍｗ」という語句は、ゲル浸透クロマトグラフィー（ＧＰＣ）及びポリアクリル酸標準物を用いて従来の様式で測定された数平均分子量を指す。ＧＰＣ技術は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−ｌｎｔｅｒｓｃｉｅｎｃｅ，１９７９、及びＡ  Ｇｕｉｄｅ  ｔｏ  Ｍａｔｅｒｉａｌｓ  Ｃｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，ｐ．８１−８４で詳述される。分子量は、ダルトンの単位で本明細書において報告される。
【００１０】
エチレンオキシは、−ＣＨ２−ＣＨ２−Ｏ−を指し、プロピレンオキシは、−ＣＨ２−ＣＨ（ＣＨ３）−Ｏ−または−ＣＨ（ＣＨ３）−ＣＨ２−Ｏ−を指し、ブチレンオキシは、−ＣＨ２−ＣＨ（ＣＨ２ＣＨ３）−Ｏ−または−ＣＨ（ＣＨ２ＣＨ３）−ＣＨ２−Ｏ−を指す。
【００１１】
上述のように、一態様では、本発明は、動物用トイレ砂において使用するための担体材料を提供し、担体材料は、ベントナイト粘土と、ベントナイト粘土上にコーティングされた粉塵抑制剤と、を含む。
【００１２】
ベントナイト粘土は、好ましくは、ナトリウムベントナイト等の膨潤性材料である。カルシウムベントナイト等の他のベントナイト粘土が使用され得る。いくつかの実施形態では、担体材料は、ベントナイト粘土と炭酸カルシウムとの混合物を含む。いくつかの実施形態では、担体材料は、１４０〜２０００ミクロンの範囲の平均粒子サイズを有する。いくつかの実施形態では、粒子サイズは、４メッシュ〜２００メッシュの範囲にある。
【００１３】
組成物の粉塵抑制剤は、式Ｉの１つ以上のアルコキシレート材料を含み、
Ｒ−Ｏ−（ＡＯ）ｚ−Ｈ    （Ｉ）
式中、Ｒが、Ｈ、アリール、または直鎖もしくは分岐Ｃ４−Ｃ２４アルキルであり、ＡＯが、各発生において独立して、エチレンオキシ、プロピレンオキシ、ブチレンオキシ、またはそれらのランダムもしくはブロック混合物であり、ｚが、ＡＯの平均モル数を表し、１〜８０の範囲にある。
【００１４】
いくつかの実施形態では、式ＩのアルコキシレートにおけるＲは、直鎖もしくは分岐Ｃ４−Ｃ２４アルキル、代替として直鎖もしくは分岐Ｃ４−Ｃ２０アルキル、代替として直鎖もしくは分岐Ｃ６−Ｃ１８アルキル、代替として直鎖もしくは分岐Ｃ６−Ｃ１２アルキル、または代替として直鎖もしくは分岐Ｃ９−Ｃ１５アルキルである。
【００１５】
いくつかの実施形態では、式ＩのアルコキシレートにおけるＲは、Ｈである。好ましくは、ＲがＨのとき、ＡＯは、エチレンオキシ及びプロピレンオキシのランダムまたはブロック、好ましくはブロック分布である。
【００１６】
式ＩのＡＯ単位がエチレンオキシ、プロピレンオキシ、及びブチレンオキシ基のうちの１つ超を表すとき、基は、ランダムまたはブロック（ランダムとブロックとの組み合わせを含む）構成で存在し得る。いくつかの実施形態では、ブロック構成が好ましい。
【００１７】
いくつかの実施形態では、式ＩのアルコキシレートにおけるＡＯは、エチレンオキシ及びプロピレンオキシのランダムまたはブロック分布であり、代替として、それはエチレンオキシ及びブチレンオキシのランダムまたはブロック分布である。いくつかの実施形態では、ＡＯは、エチレンオキシである。好ましくは、ＡＯがエチレンオキシであるとき、Ｒは、水素ではなく、より好ましくは、Ｒは、直鎖もしくは分岐Ｃ４−Ｃ２４アルキルである。
【００１８】
いくつかの実施形態では、アルコキシレートは、式Ｉの２つ以上の材料の混合物である。いくつかの実施形態では、それは、Ｃ４−Ｃ２０アルキルから独立して選択される異なるＲ基の材料の混合物である。
【００１９】
本発明のいくつかの実施形態では、粉塵抑制剤は、式ＩＩのアルコキシレートであり、
Ｒ１−Ｏ−（ＰＯ）ｘ（ＥＯ）ｙ−Ｈ    （ＩＩ）
式中、Ｒ１が、直鎖または分岐Ｃ４−Ｃ２０アルキルであり、ＰＯが、プロピレンオキシであり、ＥＯが、エチレンオキシであり、ｘが、０．５〜１２であり、ｙは、２〜２０である。
【００２０】
いくつかの実施形態では、粉塵抑制剤は、Ｒ１が、４〜２０の偶数個の炭素原子を有する１つ以上の直鎖アルキル基を各々含有する２つ以上の直鎖アルキル部分の混合物であり、ｘが、０．５〜１０であり、ｙは、２〜２０である式ＩＩのアルコキシレートである、式ＩＩ−Ａのアルコキシレートである。
【００２１】
好ましくは、式ＩＩ−ＡのアルコキシレートにおけるＲ１は、シード油由来のアルコールのアルキル部である直鎖アルキル部分の混合物を表す。いくつかの実施形態では、Ｒ１は、表Ａのようなアルキル部分分布を有する。
【００２２】
【表Ａ】
2019503184.tif 000002
【００２３】
Ｃ６、Ｃ１４、及びＣ１６−１８アルキル部分のうちのいずれか１つ以上が、必要というわけではないが、組成物内に存在し得る。存在する場合、Ｃ６、Ｃ１４、及びＣ１６−１８アルキル部分の量は、全ての重量パーセントが合計で１００重量％になる限り、表Ａに示されるそれらの各々の範囲のいずれを満たしてもよい。いくつかの実施形態では、Ｃ６、Ｃ１４、及びＣ１６−１８アルキル部分のうちの１つ以上が、ゼロより大きい量で存在する。いくつかの実施形態では、Ｃ６及びＣ１４は各々、ゼロより大きい量で存在し、ゼロより大きい量のＣ１６−１８も存在する。
【００２４】
いくつかの実施形態では、式ＩＩ−ＡのアルコキシレートにおけるＲ１は、表Ｂのようなアルキル部分分布を有する。
【００２５】
【表Ｂ】
2019503184.tif 000003
【００２６】
表Ｂのようなアルコキシレート混合物は、少なくとも４つのアルキル部分、Ｃ８、Ｃ１０、Ｃ１２、及びＣ１４の混合物を含む。Ｃ６及びＣ１６−１８アルキル部分のうちのいずれか１つ以上が、必要というわけではないが、好ましいアルコキシレートのこの好ましいサブセットのアルコキシレート組成物中に存在し得る。存在する場合、Ｃ６及びＣ１６−１８アルキル部分の量は、全ての重量パーセントが合計で１００重量％になる限り、表Ａに示されるそれらの各々の範囲のいずれを満たしてもよい。
【００２７】
いくつかの実施形態では、式ＩＩ−ＡのＲ１におけるＣ６の量は、ゼロである。独立して、いくつかの実施形態では、Ｒ１におけるＣ１６−１８の量は、ゼロではない。
【００２８】
上記の式ＩＩ−Ａは、統合して、オリゴマー分布におけるアルコキシ化度を確立する変数「ｘ」及び「ｙ」を含む。個々で、「ｘ」及び「ｙ」は各々、プロポキシ化度及びエトキシ化度を表す。いくつかの実施形態では、プロポキシ化度または「ｘ」は、０．５〜７の範囲内、好ましくは０．５〜４未満の範囲内、より好ましくは０．５〜３の範囲内、更により好ましくは２〜３の範囲内、更により好ましくは２．５〜３の範囲内に入る。エトキシ化度または「ｙ」は、好ましくは、２〜１０の範囲内、より好ましくは２〜８の範囲内、更により好ましくは３〜８の範囲内に入る。
【００２９】
いくつかの実施形態では、式ＩＩ−Ａにおけるｘとｙとの総和は、１〜１５である。いくつかの実施形態では、ｘとｙとの総和は、１〜７である。いくつかの実施形態では、ｘは、２．５〜３の範囲内にあり、ｙは、２〜１０の範囲内にあり、Ｒ１は、表Ｂのようにアルキル部分分布を有する。いくつかの実施形態では、Ｒ１におけるＣ６の量は、ゼロであり、Ｒ１におけるＣ１６−１８の量は、ゼロではなく、ｘとｙとの総和は、１〜７である。
【００３０】
いくつかの実施形態では、式ＩＩ−Ａのアルコキシレートは、以下のようなアルキル部分重量パーセント分布を提供するアルコールストリームに由来するＣ８−１６Ｏ（ＰＯ）２．５（ＥＯ）５Ｈ（原料供給量に基づく）であり、Ｃ８＝２２．５％、Ｃ１０＝２７．５％、Ｃ１２＝３５％、Ｃ１４＝１２．５、及びＣ１６＝２．５％である。
【００３１】
いくつかの実施形態では、式ＩＩ−Ａのアルコキシレートは、好ましくは６５：３５の２つの式ＩＩ−Ａの材料の比率での、Ｃ８−１０Ｏ（ＰＯ）２．５（ＥＯ）５．８Ｈ（約５５％のｎ−デカノール、及び約４５％のｎ−オクタノールから成るアルコールブレンドに由来する）と、Ｃ１２−１６Ｏ（ＰＯ）２．５（ＥＯ）８Ｈ（約７０％のｎ−ドデカノール、２５％のｎ−テトラデカノール、及び５％のｎ−ヘキサデカノールから成るアルコールブレンドに由来する）とのブレンドである。
【００３２】
いくつかの実施形態では、式ＩＩ−Ａのアルコキシレートは、シード油（Ｒ１）からの７０％のＣ８Ｃ１０直鎖アルコールと、シード油（Ｒ１）からの３０％のＣ１２Ｃ１４直鎖アルコールとのブレンドであり、ｘは、３であり、ｙは、５である。いくつかの実施形態では、式ＩＩ−Ａのアルコキシレートは、シード油（Ｒ１）からの７０％のＣ８Ｃ１０直鎖アルコールと、シード油（Ｒ１）からの３０％のＣ１２Ｃ１４直鎖アルコールとのブレンドであり、ｘは、３であり、ｙは、７である。
【００３３】
いくつかの実施形態では、式ＩＩ−Ａのアルコキシレートは、４００〜８００の分子量を有する。
【００３４】
いくつかの実施形態では、粉塵抑制剤は、Ｒ１が、直鎖または分岐Ｃ６−Ｃ１２アルキルであり、ｘが、２〜１１であり、ｙが、１〜１５である式ＩＩのアルコキシレートである、式ＩＩ−Ｂのアルコキシレートである。
【００３５】
いくつかの実施形態では、式ＩＩ−ＢにおけるＲ１は、直鎖または分岐Ｃ６−Ｃ１０アルキル、代替として直鎖または分岐Ｃ８−Ｃ１０アルキルである。いくつかの実施形態では、Ｒ１は、直鎖または分岐Ｃ８アルキルである。いくつかの実施形態では、Ｒ１は、２−エチルヘキシル（ＣＨ３ＣＨ２ＣＨ２ＣＨ２ＣＨ（ＣＨ２ＣＨ３）ＣＨ２−）である。いくつかの実施形態では、Ｒ１は、２−プロピルヘプチル（ＣＨ３ＣＨ２ＣＨ２ＣＨ２ＣＨ２ＣＨ（ＣＨ２ＣＨ２ＣＨ３）ＣＨ２−）である。いくつかの実施形態では、式ＩＩ−Ｂにおけるｘは、３〜１０、代替として４〜６である。いくつかの実施形態では、式ＩＩ−Ｂにおけるｙは、１〜１１、代替として３〜１１である。いくつかの実施形態では、式ＩＩ−Ｂのアルコキシレートは、Ｃ８−Ｃ１４Ｏ−（ＰＯ）２−５（ＥＯ）５−９−Ｈであり、そこで、Ｃ８−Ｃ１４基は、直鎖または分岐、好ましくは分岐である。いくつかの実施形態では、式ＩＩ−Ｂのアルコキシレートは、次の平均式、２ＥＨ（ＰＯ）２（ＥＯ）４−Ｈ、２ＥＨ（ＰＯ）３（ＥＯ）６．８−Ｈ、２ＥＨ（ＰＯ）５．５（ＥＯ）８−Ｈ、２ＥＨ（ＰＯ）９（ＥＯ）９−Ｈ、２ＥＨ（ＰＯ）１１（ＥＯ）１１−Ｈ、２ＥＨ（ＰＯ）５（ＥＯ）３−Ｈ、または２ＥＨ（ＰＯ）５（ＥＯ）６−Ｈ（２ＥＨ＝２−エチルヘキシル）を有する材料または混合物の混合物である。いくつかの実施形態では、式ＩＩ−Ｂのアルコキシレートの分子は、５００〜１０００ダルトンの範囲にある。
【００３６】
いくつかの実施形態では、粉塵抑制剤は、式ＩＩＩのアルコキシレートであり、
Ｒ２−Ｏ−（ＥＯ）ｍ（ＢＯ）ｎ−Ｈ    （ＩＩＩ）
式中、Ｒ２が、直鎖もしくは分岐Ｃ９−１５アルキルであり、ＥＯが、エチレンオキシであり、ＢＯが、ブチレンオキシであり、ｍが、５〜１５であり、ｎが、１〜４である。いくつかの実施形態では、Ｒ２が、直鎖もしくは分岐Ｃ１２−Ｃ１４アルキルであり、好ましくは、それが、Ｃ１２アルキルである。いくつかの実施形態では、ｍが、８〜１２、好ましくは１０である。いくつかの実施形態では、ｎが、１〜３、好ましくは２である。いくつかの実施形態では、Ｒ２が、直鎖もしくは分岐Ｃ１２−Ｃ１４アルキルであり、ｍが、１０であり、ｎが、２である。いくつかの実施形態では、Ｒ２が、直鎖Ｃ１２−Ｃ１４アルキルであり、ｍが、１０であり、ｎが、２である。
【００３７】
いくつかの実施形態では、式ＩＩのアルコキシレートは、６００〜１０００ダルトンの分子量を有する。
【００３８】
いくつかの実施形態では、粉塵抑制剤は、式ＩＶのアルコキシレートであり、
ＨＯ−（ＥＯ）ｒ（ＰＯ）ｓ（ＥＯ）ｔ−Ｈ    （ＩＶ）
式中、ＥＯが、エチレンオキシであり、ＰＯが、プロピレンオキシであり、ｒが、２〜１０であり、ｓが、２０〜７０であり、ｔが、２〜１０である。いくつかの実施形態では、ｒが、２〜８であり、好ましくは、ｒが、２〜３であるか、またはそれは、８である。いくつかの実施形態では、ｓが、３０〜６０、好ましくは３０または６０である。いくつかの実施形態では、ｔが、２〜８であり、好ましくは、ｔが、２〜３であるか、またはそれが、８である。いくつかの実施形態では、ｒが、２〜３であり、ｓが、３０であり、ｔが、２〜３である。いくつかの実施形態では、ｒが、８であり、ｓが、６０であり、ｔが、８である。いくつかの実施形態では、分子は、１５００〜５０００ダルトンの重量平均分子量を有する。
【００３９】
いくつかの実施形態では、粉塵抑制剤は、式Ｖのアルコキシレートであり、
Ｒ３−Ｏ−（ＥＯ）ｙ−Ｈ    （Ｖ）
式中、Ｒ３が、直鎖もしくは分岐Ｃ６−１８アルキルであり、ＥＯが、エチレンオキシであり、ｙ３〜２０である。いくつかの実施形態では、Ｒ３が、直鎖もしくは分岐Ｃ１２−Ｃ１４アルキルである。いくつかの実施形態では、Ｒ３が、直鎖第２級Ｃ１２−Ｃ１４アルキルである。いくつかの実施形態では、ｙ５〜１０であり、好ましくは、それが、７である。いくつかの実施形態では、Ｒ３が、直鎖Ｃ１２−Ｃ１５アルキルであり、分子は、約５１５の分子量を有する。
【００４０】
いくつかの実施形態では、式Ｖのアルコキシレートは、４００〜１０００ダルトンの分子量を有する。
【００４１】
式Ｉのアルコキシレートは、市販されているか、またはそれらは、知られている合成法を使用して調製され得る。典型的な調製は、触媒（例えば、ＫＯＨ、ＮａＯＨ、ＢＦ３、またはＤＭＣ（複金属シアン化物）、例えば、亜鉛コバルトシアン化物（Ｚｎ３［Ｃｏ（ＣＮ６）］２等）の存在下でのアルコール化合物の、エチレンオキシド、プロピレンオキシド、及び／またはブチレンオキシドとの反応を含み得る。エチレンオキシド、プロピレンオキシド、及び／またはブチレンオキシドは、ランダムポリマーが望まれる場合、アルコールと同時に反応され得るか、またはブロックポリマーの場合、連続的に反応され得る。ブロック及びランダムポリマーの組み合わせもまた、調製され得る。
【００４２】
より具体的な例として、式ＩＩ−Ａのアルコキシレートは、好ましくは、プロポキシ化（ＰＯまたはポリ（オキシプロピレン）部分をアルコールまたはアルコールの混合物に添加し、ＰＯブロックを形成）し、続いて、エトキシ化（ＥＯまたはポリ（オキシエチレン）部分を添加）し、ＰＯブロックに結合しているが、アルコールまたはアルコールの混合物からのアルキル部分を表すＲ１から相隔たるＥＯブロックを形成することを含む逐次的方法で調製される。１つは、アルキル部分の分布を提供するアルコールの混合物から開始し、その後、混合物を連続的にプロポキシ化し、エトキシ化する、または選択アルコールを別々にプロポキシ化し、エトキシ化し、その後、そのようなアルコキシレート（プロポキシ化及びエトキシ化アルコール）を、例えば、上記の表Ａに示されるような分布を提供するための十分な比率で組み合わせ得る。
【００４３】
粉塵抑制剤は、当業者に周知の技術を使用してベントナイト粘土上にコーティングされ得る。非限定的な例として、粉塵抑制剤は、溶媒（例えば、水）に溶解または分散され得る。その後、分散物は、機械的撹拌を用いてミキサー内でベントナイト粘土とブレンドされ得る。または、分散物は、例えば、移動床、またはベントナイト粘土粒子の落下ストリームにおいて、ベントナイト粘土上に噴霧され得る。いくつかの実施形態では、粉塵抑制剤は、ポリマー結合剤を含まない。
【００４４】
どのくらいの粉塵抑制剤がベントナイト粘土に適用されるべきであるかに関して、特定の限定はない。いくつかの実施形態では、粉塵抑制剤の量が、ベントナイト粘土及び粉塵抑制剤の総乾燥重量に基づいて、０．１〜５重量パーセントであることが好ましい場合がある。
【００４５】
本発明の動物用トイレ砂は、典型的にそのような材料において見られる他の添加剤を含有し得る。これらとしては、集塊剤（例えば、ポリエチレングリコールまたはカルボキシメチルセルロース）、石灰岩（炭酸カルシウム）、充填剤、保湿剤、崩壊剤、臭気吸収材料（例えば、炭酸ナトリウム、炭酸カリウム、珪質材料、オパールシリカ、活性炭、硫酸水素ナトリウム複合体、またはコーンスターチ）、沸石、除粉塵剤（例えば、グアーガム、ＰＴＦＥコーティングされた粘土、またはフルオロポリマー）、抗菌剤、例えば、ブロノポール及び銀系化合物等、香料、他のキレート剤（例えば、ジエチレントリアミペンタアセテート酸（ＤＴＰＡ））、石こう、小分子有機酸、中和能もしくは酸性基（例えば、セルロースアセテート、ポリカルボキシレート）を有するポリマー、米粉、第４級アミン、プロバイオティクス細菌、及び／またはアンモニア酸化細菌のうちの１つ以上が挙げられるが、これらに限定されない。
【００４６】
本発明の動物用トイレ砂が使用され得る動物の例としては、無制限に、飼いならされた動物、動物園の動物、家畜、ペット、及び部分的または完全に閉鎖された環境である程度の時間を費やす他の動物が挙げられる。より具体的な例としては、無制限に、猫、犬、家禽（例えば、鶏）、馬、牛、豚、ウサギ、ヤギ、及びモルモットが挙げられる。猫が好ましい（そのため、好ましい動物用トイレ砂は、猫用トイレ砂である。）。
【００４７】
ここで、本発明のいくつかの実施形態が、以下の実施例において詳述される。
【実施例】
【００４８】
実施例において試験された粉塵抑制剤は、以下の通りである。
剤１：Ｒ１が、２−エチルヘキシルであり、ｘが、５であり、ｙが、３である、式ＩＩ−Ｂのアルコキシレート。
剤２：Ｒ１が、２−エチルヘキシルであり、ｘが、５であり、ｙが、６である、式ＩＩ−Ｂのアルコキシレート。
剤３：Ｒ１が、２−エチルヘキシルであり、ｘが、５であり、ｙが、９である、式ＩＩ−Ｂのアルコキシレート。
剤４：ｒが、２〜３であり、ｓが、３０であり、ｔが、２〜３である、式ＩＶのアルコキシレート。
剤５：ｒが、８であり、ｓが、６０であり、ｔが、８である、式ＩＶのアルコキシレート。
剤６：７０％のシード油からのＣ８Ｃ１０直鎖アルコール（Ｒ１）及び３０％のシード油からのＣ１２Ｃ１４直鎖アルコール（Ｒ１）を含有する、ｘが３であり、ｙが７である、式ＩＩ−Ａの材料の混合物であるアルコキシレート。
剤７：７０％のシード油からのＣ８Ｃ１０直鎖アルコール（Ｒ１）及び３０％のシード油からのＣ１２Ｃ１４直鎖アルコール（Ｒ１）を含有する、ｘが３であり、ｙが３である、式ＩＩ−Ａの材料の混合物であるアルコキシレート。
剤８：Ｒ２が直鎖Ｃ１２−Ｃ１４アルキルであり、ｍが１０であり、ｎが２である、式ＩＩＩのアルコキシレート。
剤９：Ｒ３が直鎖第２級Ｃ１２−Ｃ１４アルキルであり、ｙが７である、式Ｖのアルコキシレート。
剤１０：Ｒ３が直鎖Ｃ１２−Ｃ１５アルキルである、式Ｖのアルコキシレートであり、分子が、約５１５の分子量を有する。
更に、様々な試料が以下の集塊剤を含有する。
ＰＥＧ８Ｋ：約８，０００ダルトンの分子量を有するポリエチレングリコール。
ＣＭＣ１０Ｋ：約６５０，０００ダルトンの分子量を有するカルボキシメチルセルロース。
【００４９】
本発明を証明するために、濁度測定値及び降下粉塵粒子測定値を使用する。濁度測定値を用いる手法は、水抽出物の濁度を測定することによって、本発明の組成物によって提供される粒子抑制を分析して、コーティングされた、及びコーティングされていない動物用トイレ砂からの水抽出物における粒子の懸濁を決定することである。濁度は、比濁計と称される機器によって測定される。
【００５０】
比濁計からの濁度の単位は、比濁計濁度単位（Ｎｅｐｈｅｌｏｍｅｔｒｉｃ  Ｔｕｒｂｉｄｉｔｙ  Ｕｎｉｔｓ、ＮＴＵ）である。高ＮＴＵ値は、より高い濁度を示し、低ＮＴＵ値は、より低い濁度を示す。コーティングされた、及びコーティングされていない動物用トイレ砂の水抽出物における濁度は、水中で懸濁された粒子による。コーティングされた動物用トイレ砂の低ＮＴＵ値は、粒子がコーティングされた動物用トイレ砂からほとんど抽出されていないことを示し、粒子粉塵抑制を証明する。コーティングされていない動物用トイレ砂は、最も高いＮＴＵ値を有し、より多くの粒子が動物用トイレ砂から抽出されることを示す。
【００５１】
これらの実施例において、我々は、ナトリウムベントナイト及び石灰岩を５０／５０ブレンドとして両方別々にコーティングし、配合物中に１％のホールを残した。我々は、粉塵抑制剤を０．９％活性として噴霧し、集塊剤のために０．１％残した。我々は、我々の集塊剤としてポリエチレングリコール及びカルボキシメチルセルロースを使用した。最初の一連のデータ点として、我々は、ナトリウムベントナイトのみを使用した。我々は、ナトリウムベントナイトを置くために開いたアルミニウム皿を使用した。その後、０．１％の集塊剤を添加し（噴霧する前にまず集塊剤を添加した）、噴霧装置を使用して、０．９％活性の粉塵抑制剤を動物用トイレ砂の上部に噴霧した。このようにして、粉塵抑制剤を動物用トイレ砂上にできるだけ一様に塗り、できるだけ均一にする。その後すぐに、動物用トイレ砂を適切な大きさの瓶に注ぐことによって混合し、瓶を２分間振とうし、転がすことによって混合した。その後、動物用トイレ砂を、乾燥させるためにアルミニウム皿に注ぎ戻した。動物用トイレ砂を周囲温度で乾燥させた。
【００５２】
乾燥後、３グラムの動物用トイレ砂を１オンスのバイアル内に配置する。その後、２５ミリリットルの脱イオン水を、３グラムの動物用トイレ砂の上部に、１オンスのバイアル内に配置する。すぐに、バイアルを迅速に１５回反転して、脱イオン水と動物用トイレ砂とを混合する。１５回目の反転の後すぐに、上部の１１ミリリットルを除去し、別の１オンスのバイアルに配置する。すぐに、１オンスのバイアルを濁度計で測定する。
【００５３】
我々は、ＡＦ  Ｓｃｉｅｎｔｉｆｉｃ  Ｍｉｃｒｏ１００Ｔｕｒｂｉｄｉｍｅｔｅｒを使用して我々の濁度測定値を計った。１時間及び２４時間での濁度測定値を以下の表に提示する。我々はまた、２４時間での１オンスのバイアル内の堆積物の高さを測定する。より低い濁度測定値は、脱イオン水中に浮遊する粒子がより少ないことを示し、上部の１１ミリリットルを取ることにより、最小粒子（典型的に、粉塵現象を引き起こす）のみを取ることが可能となる。１オンスのバイアル内の堆積物により、脱イオン水の存在下での粉塵抑制剤の水溶性も考慮しながら、多量の最小粒子を得ることが可能となる。これを、石灰岩、及びナトリウムベントナイトと石灰岩との５０／５０ブレンドを用いて繰り返す。
【００５４】
以下の表は、本発明の粉塵抑制剤が濁度及び沈殿粒子を低下させることを示す。剤１、剤６、及び剤７が最も良い性能を示した。結果は、より小さい粒子の大部分が、ナトリウムベントナイトから生じることを示し、粉塵問題を軽減することは、ナトリウムベントナイトからの粉塵（２４時間後の粒子の堆積物に見られる）を軽減することである。
【００５５】
【表１】
2019503184.tif 000004
【００５６】
【表２】
2019503184.tif 000005
【００５７】
【表３】
2019503184.tif 000006
【００５８】
【表４】
2019503184.tif 000007
【国際調査報告】
2019503184.tif 000008
2019503184.tif 000009